(57)【要約】【課題】印字作業における用紙移送中にラベル基材裏面に設けた粘着剤がはみ出してガイドロールなどに付着することのない配送伝票を提供する。【解決手段】配送伝票１は、ラベル基材２の裏面側には粘着剤３を設けて剥離紙４で被覆する一方、ラベル基材２の表面側には疑似接着層５を介して伝票基材６を剥離可能に接着し、伝票基材６の表面には、配送情報を印字記入するための印字記入欄を設けてなり、粘着剤３塗布部分には、印字記入欄に印字するために移送する方向の両端部に位置する未塗布部１２ａ，１２ｂを、幅０．５〜３．０ｍｍ程度の範囲で設ける。【選択図】        図２
2004341404.tif 000002
【特許請求の範囲】
【請求項１】
ラベル基材の裏面側には粘着剤を設けて剥離紙で被覆する一方、前記ラベル基材の表面側には疑似接着層を介して伝票基材を剥離可能に接着し、前記伝票基材の表面には、配送情報を印字記入するための印字記入欄を設けてなる配送伝票において、前記粘着剤塗布部分には、前記印字記入欄に印字するために移送する方向の両端部に位置する未塗布部を設けたことを特徴とする配送伝票。
【請求項２】
疑似接着層は接着力が弱く一旦接着後にも剥離可能な接着剤からなり、この接着剤には、伝票基材の印字記入欄に印字するために移送する方向の両端部にベタ印刷部を設けたことを特徴とする請求項１記載の配送伝票。
【発明の詳細な説明】
【０００１】
【発明の属する技術分野】
本発明は、配送伝票に関し、特に、ラベル基材の裏面側には粘着剤を設けて剥離紙で被覆する一方、前記ラベル基材の表面側には疑似接着層を介して伝票基材を剥離可能に接着し、前記伝票基材の表面には、配送情報を印字記入するための印字記入欄を設けてなる配送伝票に関する。
【０００２】
【従来の技術】
一般に、この種配送伝票にあっては、伝票基材表面の印字記入欄に配送情報を印字するためプリンタにかけて移送する際に、ラベル基材裏面に設けた粘着剤が移送方向の先端側にはみ出して、ガイドローラなどに付着するという事態を生じる。この事態を防ぐために従来においては、剥離紙を伝票基材よりも一回り大きく形成して、剥離紙の周縁部にはみ出してきた粘着剤を受ける部分を設けている（例えば特許文献１参照）。
【０００３】
【特許文献１】
特開平１１−１５７２５４号公報（第２図、第５図）
【０００４】
【発明が解決しようとする課題】
ところがこの従来の配送伝票によると、剥離後には使いみちがなく、廃棄するだけの剥離紙が、各構成部材中で最も大きな構成部材となるので、不経済であるとともに、省資源化に反するという不都合があった。
【０００５】
本発明は、このような従来の不都合を解消して、印字における移送中にラベル基材裏面に設けた粘着剤がはみ出してガイドロールなどに付着することのない配送伝票を提供することを目的とする。
【０００６】
【課題を解決するための手段】
この目的を達成するために、本願発明の請求項１に記載した配送伝票は、ラベル基材の裏面側には粘着剤を設けて剥離紙で被覆する一方、前記ラベル基材の表面側には疑似接着層を介して伝票基材を剥離可能に接着し、前記伝票基材の表面には、配送情報を印字記入するための印字記入欄を設けてなる配送伝票において、前記粘着剤塗布部分には、前記印字記入欄に印字するために移送する方向の両端部に位置する未塗布部を設けたものである。そして、前記未塗布部は、幅０．５〜３．０ｍｍ程度の範囲で設けると好適である。
【０００７】
また、同じく上記目的を達成するために、本願発明の請求項２に記載した配送伝票は、上記請求項１の構成において、疑似接着層は接着力が弱く一旦接着後にも剥離可能な接着剤からなり、この接着剤には、伝票基材の印字記入欄に印字するために移送する方向の両端部にベタ印刷部を設けたものである。そして、前記ベタ印刷部は、幅０．５〜３．０ｍｍ程度の範囲で設けると好適である。
【０００８】
【発明の実施の形態】
以下、本発明の好適な実施の形態を添付図面に基づいて詳細に説明する。ここにおいて、図１は商品明細票を連接した配送伝票を示す概略的な平面図、図２はそのＡ−Ａ線断面図、図３は商品の包装容器に貼付する状態の配送伝票を示す平面図である。
【０００９】
図１及び図２に示すように、配送伝票１は、ラベル基材２の裏面側には粘着剤３を設けて剥離紙４で被覆する一方、前記ラベル基材２の表面側には疑似接着層５を介して伝票基材６の一部を剥離可能に接着してなる。前記伝票基材６は、それぞれミシン目７，８で区画形成された、貼付票９、配達票１０、商品明細書１１からなり、前記貼付票９と前記配達票１０の裏面側には、前記疑似接着層５、前記ラベル基材２、前記粘着剤３及び前記剥離紙４が対応位置し、前記商品明細書１１の裏面側には何らの部材も存在しない。
【００１０】
図１に示すように、貼付票９の表面には、「貼付票」という表題１４のほか、配送情報を印字記入するための印字記入欄として、伝票番号を印字する伝票番号記入欄１５と、配送先情報２４、配送先地域コード情報２５、個口数情報２６の各情報（図３参照）を印字する配送情報記入欄１６とを設けている。また、配達票１０の表面には、「配達票」という表題１７のほか、配送情報を印字記入するための印字記入欄として、伝票番号を印字する伝票番号記入欄１８と、配送先情報、品名情報、個口数情報を印字し、受領印を捺印する配送情報記入欄１９とを設けている。さらに、商品明細書１１の表面には、「商品明細書」という表題２０のほか、配送商品の商品名、型番、価格などを印字記入するための商品明細情報記入欄２１を設けている。
【００１１】
図２に示すように、粘着剤３の塗布部分には、貼付票９と配達票１０の各伝票番号記入欄１５，１８及び各配送情報記入欄１６，１９、並びに商品明細書１１の商品明細情報記入欄２１に印字するために、プリンタで移送する方向の両端部に粘着剤３を塗布しない未塗布部１２ａ，１２ｂを設けている。この未塗布部１２ａ，１２ｂの幅は、２．５ｍｍ程度が好適である。
【００１２】
また、疑似接着層５は接着力が弱く一旦接着後にも剥離可能な接着剤、例えば、通常では接着せず、所定の圧を付与すると接着可能となり、接着後に剥離可能な感圧性接着剤からなる。そして、ラベル基材２もしくは伝票基材６の疑似接着層５形成面には、上述した各記入欄１５，１８，１６，１９，伝票基材の印字記入欄に印字するために移送する方向の両端部にベタ印刷を施してなるベタ印刷部１３ａ，１３ｂを設けている。このベタ印刷部１３ａ，１３ｂの幅は、２．０ｍｍ程度が好適である。
【００１３】
上述のように、疑似接着層５を介してラベル基材２に接着した貼付票９と配達票１０は、前記ラベル基材２から剥離可能であるが、配送作業にあたっては、貼付票９はラベル基材２とともに商品の配送容器（図示せず）に貼付するので剥離の必要がない一方、配達票１０は運転手の手元において配送作業を行うので剥離する必要がある。この配達票１０の確実、かつ容易な剥離性を保証するために、ラベル基材２の配達票１０に対接する部分には、案内文２２（図３参照）を印刷して疑似接着層５の接着力を低減化している。
【００１４】
本実施形態は以上のように構成したので、図１及び図２状態にある配送伝票１の各記入欄１５，１６，１８，１９，２１に、あらかじめ印字する配送情報を入力してあるコンピュータ（図示せず）の出力装置であるプリンタで印字するに際し、配送伝票１を貼付票９側からプリンタにかけても、商品明細書１１側からプリンタにかけても、粘着剤３の未塗布部１２ａ，１２ｂのいずれかが移送方向の移送端側に位置するので、前記粘着剤３のはみ出しを防止することができる。また、疑似接着層５のベタ印刷１３ａ，１３ｂも同様に、いずれか一方が移送方向の移送端側に位置するので、前記疑似接着層５を構成する接着剤のはみ出しを防止することができる。したがって、配送伝票１を移送するガイドローラなどのローラ（図示せず）に、粘着剤３や接着剤が付着することがないものである。
【００１５】
所定の配送情報を印字した配送伝票１は、ミシン目８を破断して商品明細書１１を分離し、図示していない商品を収納した包装容器内にこの商品明細書１１も収納する。次いで、配達票１０を、ミシン目７を破断しつつ捲り上げてラベル基材２から分離したうえ、貼付票９が残って案内文２２が露出したラベル基材２（図３参照）から剥離紙４を剥離し、露出した粘着剤３で図示していない商品を収納した包装容器に前記ラベル基材２を貼付する一方、前記配達票１０は、配送作業を行う運転手が手元において配送作業を行うものである。
【００１６】
なお、本発明は、上述した実施形態に限定されるものではなく、例えば、商品明細書１１は必ずしも必要ではない。また、貼付票９と配達票５の機能を有する伝票が存在すればよく、伝票の名称は貼付票９や配達票５に特定されるものではない。
【００１７】
【発明の効果】
以上のように、本発明の請求項１に係る配送伝票によれば、印字作業における用紙移送中に、ラベル基材の裏面側に設けた粘着剤がはみ出してガイドローラなどに付着することがないという効果を奏する。
【００１８】
また、本発明の請求項２に係る配送伝票によれば、印字作業における用紙移送中に、伝票基材の裏面側に設けた疑似接着層を形成する接着剤がはみ出してガイドローラなどに付着することがないという効果を奏する。
【図面の簡単な説明】
【図１】配送伝票を示す概略的な平面図。
【図２】図１のＡ−Ａ線断面図。
【図３】商品明細書と配達票を分離した状態を示す概略的な平面図。
【符号の説明】
１      配送伝票
２      ラベル基材
３      粘着剤
４      剥離紙
５      疑似接着層
６      伝票基材
７，８      ミシン目
９      貼付票
１０      配達票
１１      商品明細書
１２ａ，１２ｂ      未塗布部
１３ａ，１３ｂ      ベタ印刷部
１５，１８      伝票番号記入部
１６，１９      配送情報記入欄
【図１】
2004341404.tif 000003
【図２】
2004341404.tif 000004
【図３】
2004341404.tif 000005